(57)【要約】【課題】  ヒップ膨出部に無理な強制力を掛けることなくヒップの垂れ下がった部分を充分に持ち上げ得る補整機能を有するガードル及びその製造方法の提供。【解決手段】  ポリウレタン繊維及びナイロン繊維などの化学繊維の弾性の編地２３からなるガードル１おいて、後身頃部２の左右の各後身頃部半体４のヒップ部８に、３〜５ｃｍ後方に湾曲面状に張り出したヒップ膨出部９を有し、このヒップ膨出部９のヒップ中心部１０から下方に徐々に円弧状に拡大する切り詰め幅部１４を有し、この切り詰め幅部１４により下部ヒップ立ち上がり部１１ｂの大腿部周囲で大腿部周囲幅より３〜５ｃｍ幅切り詰められた縮小大腿部周囲１６に形成された後身頃部３を有するガードル１で、このガードル１はヒップ膨出部下部に緊締による持ち上げ力を付与した補整機能を有する。【選択図】      図１
2006225817.tif 000002
【特許請求の範囲】
【請求項１】
ポリウレタン繊維及びナイロン繊維などの化学繊維の弾性の編地からなるガードルにおいて、後身頃部の左右の各後身頃部半体のヒップ部に３〜５ｃｍ後方に湾曲面状に張り出したヒップ膨出部を有し、このヒップ膨出部のヒップ中心部から下方に徐々に円弧状に拡大する切り詰め幅部により下部ヒップ立ち上がり部の大腿部周囲で大腿部周囲幅より３〜５ｃｍ幅切り詰められた縮小大腿部周囲に形成された後身頃部を有することを特徴とするヒップ膨出部下部に緊締による持ち上げ力を付与した補整機能を有するガードル。
【請求項２】
ポリウレタン繊維及びナイロン繊維などの化学繊維の弾性の編地からなるガードルの製造において、上記の弾性の編地からなる前身頃部に続く後身頃部を形成する左右の各後身頃部半体のヒップ部のヒップ中心部から上方に進むに連れて徐々に円弧状に拡大しながら上部ヒップ立ち上がり部で２〜３ｃｍ左右に離間した２本の円弧状ラインと、かつ、ヒップ部のヒップ中心部から下方に進むに連れて徐々に左右方向に円弧状に拡大しながら下部ヒップ立ち上がり部で５〜７ｃｍ左右に離間した２本の円弧状ラインとで後身頃部半体を画成し、これらの画成した円弧状ラインに沿って該編地を分割裁断して２本の円弧状ライン間の平面素材を除去して左右の平面素材からなる円弧状ラインを側端部に有する左右の平面部材とし、これらの左右の平面部材の円弧状ラインの側端部を寄せ合わせて、上部ヒップ立ち上がり部の横幅を２〜３ｃｍ縮小した切り詰め腰部とヒップ部のヒップ中心部を３〜５ｃｍ後方に湾曲面状に張り出したヒップ膨出部と下部ヒップ立ち上がり部の大腿部周囲より幅３〜５ｃｍ縮小した縮小大腿部周囲とを有する左右の後身頃部半体に縫製し、これら左右の後身頃部半体をさらに寄せ合わせて中心継目を有する後身頃部に縫製し、前身頃部に続く後身頃部を有するガードルとすることを特徴とするヒップ膨出部下部に緊締による持ち上げ力を付与した補整機能を有するガードルの製造方法。
【請求項３】
ポリウレタン繊維及びナイロン繊維などの化学繊維の弾性の編地からなるガードルの製造において、上記の弾性の編地からなる前身頃部に続く後身頃部を形成する左右の各後身頃部半体のヒップ部のヒップ中心部から下方に進むに連れて徐々に左右方向に円弧状に拡大しながら下部ヒップ立ち上がり部で５〜７ｃｍ左右に離間した２本の円弧状ラインで後身頃部半体を部分的に画成し、これらの画成した円弧状ラインに沿って該編地を部分裁断して後身頃部半体の平面部材とし、これら左右の平面部材の該部分裁断による左右の側端部を寄せ合わせて、ヒップ部のヒップ中心部を３〜５ｃｍ後方に湾曲面状に張り出したヒップ膨出部と、下部ヒップ立ち上がり部の大腿部周囲より幅３〜５ｃｍ縮小した縮小大腿部周囲とを有する左右の後身頃部半体に縫製し、これらの左右の後身頃部半体をさらに寄せ合わせて中心継目を有する後身頃部に縫製し、前身頃部に続く後身頃部を有するガードルとすることを特徴とするヒップ膨出部下部に緊締による持ち上げ力を付与した補整機能を有するガードルの製造方法。
【請求項４】
ポリウレタン繊維及びナイロン繊維などの化学繊維の弾性の編地からなるガードルの製造において、上記の弾性の編地の平面素材からなる前身頃部に側部で続く平面状の左右の後身頃部半体を有するガードル半製品の各ヒップ部のヒップ中心部をヒップ膨出部の湾曲面状に高さが３〜５ｃｍ突出したヒップ形状を有する加熱した金型によりモールド成型してヒップ膨出部に形成し、得られた左右の各ヒップ膨出部のヒップ中心部から下方に進むに連れて徐々に左右方向に円弧状に拡大しながら下部ヒップ立ち上がり部で５〜７ｃｍ左右に離間した２本の円弧状ラインで後身頃部半体を画成し、これらの画成した円弧状ラインに沿ってヒップ膨出部を形成した編地を部分裁断して後身頃部半体とし、これら左右の後身頃部半体の部分裁断による左右の側端部を寄せ合わせて切り詰め継目に縫製して、ヒップ部のヒップ中心部を３〜５ｃｍ後方に張り出したヒップ膨出部と下部ヒップ立ち上がり部の大腿部周囲より幅３〜５ｃｍ縮小した縮小大腿部周囲とを有する後身頃部半体とし、これらの左右の後身頃部半体を寄せ合わせて中心継目で接続の後身頃部に縫製し、前身頃部に続く後身頃部を有するガードルとすることを特徴とするヒップ膨出部下部に緊締による持ち上げ力を付与した補整機能を有するガードルの製造方法。
【請求項５】
ポリウレタン繊維及びナイロン繊維などの化学繊維の弾性の編地からなるガードルの製造において、上記の弾性の編地の平面素材をヒップ膨出部の湾曲面状に高さが３〜５ｃｍ突出したヒップ形状を有する加熱した金型によりモールド成型して左右のヒップ膨出部を有する編地素材とし、この左右のヒップ膨出部を有する編地素材から裁断によりガードルの後身頃部の左右の後身頃部半体を形成し、これら左右の後身頃部半体をそのヒップ膨出部のヒップ中心部から下方に進むに連れて徐々に左右方向に円弧状に拡大して下部ヒップ立ち上がり部で５〜７ｃｍ左右に離間した２本の円弧状ラインに画成し、ヒップ膨出部を形成した編地を上記２本の円弧状ラインに沿って部分裁断して後身頃部半体とし、これら左右の後身頃部半体の部分裁断による左右の側端部を寄せ合わせて切り詰め継目に縫製し、ヒップ部のヒップ中心部を３〜５ｃｍ後方に湾曲面状に張り出したヒップ膨出部と下部ヒップ立ち上がり部の大腿部周囲より幅３〜５ｃｍ縮小した縮小大腿部周囲とを有する後身頃部半体とし、これらの左右の後身頃部半体をさらに寄せ合わせて中心継目を有する後身頃部に縫製し、この後身頃部を別途形成の前身頃部と一体化してガードルとすることを特徴とするヒップ膨出部下部に緊締による持ち上げ力を付与した補整機能を有するガードルの製造方法。
【発明の詳細な説明】
【技術分野】
【０００１】
この発明は、女性のヒップ下部に持ち上げ力を付与した補整機能を有するガードルに関し、特にヒップアップ効果に優れた補整機能を有するガードルに関する。
【背景技術】
【０００２】
女性の下着は、装着している身体を包み込んで保護する働きを有する一方で、体形が崩れないように抑制する機能を有し、さらに崩れた体形を補整する機能を有する。ところで、女性が衣服で着飾ったとき、着飾った衣服を通してその女性の体形及びその着用している下着の線が外部に現れる場合がある。そこで、一般的には、女性は体形を美しく保つことができる下着を着用することで、衣服に美しい体形の線が現れることを願っており、このために補整機能を有するガードルを着用する。
【０００３】
このような身体の下半身部を補整する機能を有するガードルは、スパンテックスと称される弾性を有するポリウレタン繊維にナイロン繊維を編み込んだ弾性の繊維を編んだ編地から形成されている。さらに股部よりやや上部の左右のヒップの間の中央の縦方向を継目部分の縫い代を縮めて縫製して造られている。このガードルを着用した際に、この縮めて縫製した継目部分が上下方向に伸ばされる結果、ヒップの部分に収縮力が生じて締めつけ力が作用するものとなっている。
【０００４】
さらに、身体の腹部が前方に突き出ることを抑制するガードルが開発されている（例えば、特許文献１、特許文献２参照。）。しかし、これらのものでは、ヒップの垂れ下がりを充分に補正することはできなかった。この腹部が前方に突き出ることを抑制する一方で、さらにヒップが下方に垂れさがることを抑制する機能を有するガードルとして、ガードルの身体の腹部中央部分と、身体の前側の両サイドの縦方向の部分から斜め下方に周り込みながら身体の後側の太ももの部分に、ガードル本体の編地に加えてガードル内面側にポリウレタン繊維からなる弾性のメッシュ状のパワーネットと称する編地を縫い付け、伸縮力を一層に高めて身体の締めつけ作用を有するガードルの補整機能を有するガードルが実用化されている。
【０００５】
ところで、これらの補整機能を有するガードルは、平面状の編地からなる素材を下腹部まわりの各要部形状の部材、特にヒップ部の各要部形状の部材に裁断し、これらの各部材を縫製により立体的なガードルに仕上げている。ところで、この弾性の編地から立体的に縫製されたガードルであっても、ガードルの締め付け機能に主眼が置かれているため、身体の立体的な面からみると、身体の立体面にそぐわない無理な力の掛かる部分があってヒップの形状に必ずしも適合しているとは限らず、ヒップを持ち上げる補整機能も充分なものではなかった。
【０００６】
【特許文献１】特開平８−６０４０７号公報
【特許文献２】特開２０００−９６３０９公報
【発明の開示】
【発明が解決しようとする課題】
【０００７】
そこで、本発明が解決しようとする課題は、従来のヒップを持ち上げる補整機能を有するガードルの補整機能をさらに高め、特にヒップ膨出部の形状に無理な強制力を掛けることなく、しかもヒップの垂れ下がった部分を充分に持ち上げることができる機能を一層効果的に高めた補整機能を有するガードル及びその製造方法を提供することである。
【課題を解決するための手段】
【０００８】
上記の課題を解決するための本発明の手段は、請求項１の発明では、ポリウレタン繊維及びナイロン繊維などの化学繊維の弾性の編地からなるガードルにおいて、後身頃部の左右の各後身頃部半体のヒップ部に、３〜５ｃｍ後方に湾曲面状に張り出したヒップ膨出部を有し、このヒップ膨出部のヒップ中心部から下方に徐々に円弧状に拡大する切り詰め幅部を有し、この切り詰め幅部により下部ヒップ立ち上がり部の大腿部周囲で大腿部周囲幅より３〜５ｃｍ幅切り詰められた縮小大腿部周囲に形成された後身頃部を有するガードルであり、このガードルはヒップ膨出部下部に緊締による持ち上げ力を付与した補整機能を有する。
【０００９】
請求項２の発明では、ポリウレタン繊維及びナイロン繊維などの化学繊維の弾性の編地からなる上記の請求項１の手段のガードルの製造方法ある。このガードルの製造方法では、上記の弾性の編地からなる前身頃部に続く後身頃部を形成する左右の各後身頃部半体のヒップ部のヒップ中心部から上方に進むに連れて徐々に円弧状に拡大しながら上部ヒップ立ち上がり部で２〜３ｃｍ左右に離間した２本の円弧状ラインと、かつ、ヒップ部のヒップ中心部から下方に進むに連れて徐々に左右方向に円弧状に拡大しながら下部ヒップ立ち上がり部で５〜７ｃｍ左右に離間した２本の円弧状ラインとで後身頃部半体を画成し、これらの画成した円弧状ラインに沿って該編地を分割裁断して２本の円弧状ライン間の平面素材を除去して左右の平面素材からなる円弧状ラインを側端部に有する左右の平面部材とし、これらの左右の平面部材の円弧状ラインの側端部を寄せ合わせて、上部ヒップ立ち上がり部の横幅を２〜３ｃｍ縮小した切り詰め腰部とヒップ部のヒップ中心部を３〜５ｃｍ後方に湾曲面状に張り出したヒップ膨出部と下部ヒップ立ち上がり部の大腿部周囲より幅３〜５ｃｍ縮小した縮小大腿部周囲とを有する左右の後身頃部半体に縫製し、これら左右の後身頃部半体をさらに寄せ合わせて中心継目を有する後身頃部に縫製し、前身頃部に続く後身頃部を有するガードルとすることを特徴とし、ヒップ膨出部下部に緊締による持ち上げ力を付与した補整機能を有するガードルの製造方法である。
【００１０】
請求項３の発明では、ポリウレタン繊維及びナイロン繊維などの化学繊維の弾性の編地からなる上記の請求項１の手段のガードルのさらに他の製造方法ある。このガードルの製造方法では、上記の弾性の編地からなる前身頃部に続く後身頃部を形成する左右の各後身頃部半体のヒップ部のヒップ中心部から下方に進むに連れて徐々に左右方向に円弧状に拡大しながら下部ヒップ立ち上がり部で５〜７ｃｍ左右に離間した２本の円弧状ラインで後身頃部半体を部分的に画成し、これらの画成した円弧状ラインに沿って該編地を部分裁断して後身頃部半体の平面部材とし、これら左右の平面部材の該部分裁断による左右の側端部を寄せ合わせて、ヒップ部のヒップ中心部を３〜５ｃｍ後方に湾曲面状に張り出したヒップ膨出部と下部ヒップ立ち上がり部の大腿部周囲より幅３〜５ｃｍ縮小した縮小大腿部周囲とを有する左右の後身頃部半体に縫製し、これらの左右の後身頃部半体をさらに寄せ合わせて中心継目を有する後身頃部に縫製し、前身頃部に続く後身頃部を有するガードルとすることを特徴とし、ヒップ膨出部下部に緊締による持ち上げ力を付与した補整機能を有するガードルの製造方法である。
【００１１】
請求項４の発明では、ポリウレタン繊維及びナイロン繊維などの化学繊維の弾性の編地からなる上記の請求項１の手段のガードルのさらに上記と異なる製造方法である。このガードルの製造方法では、上記の弾性の編地の平面素材からなる前身頃部に側部で続く側部平面状の左右の後身頃部半体を有するガードル半製品の各ヒップ部のヒップ中心部をヒップ膨出部の湾曲面状に３〜５ｃｍ突出したヒップ形状を有する加熱した金型によりモールド成型してヒップ膨出部に形成し、得られた左右の各ヒップ膨出部のヒップ中心部から下方に進むに連れて徐々に左右方向に円弧状に拡大しながら下部ヒップ立ち上がり部で５〜７ｃｍ左右に離間した２本の円弧状ラインで後身頃部半体を画成し、これらの画成した円弧状ラインに沿ってヒップ膨出部を形成した編地を部分裁断して後身頃部半体とし、これら左右の後身頃部半体の部分裁断による左右の側端部を寄せ合わせて切り詰め継目に縫製して、ヒップ部のヒップ中心部を３〜５ｃｍ後方に張り出したヒップ膨出部と下部ヒップ立ち上がり部の大腿部周囲より幅３〜５ｃｍ縮小した縮小大腿部周囲とを有する後身頃部半体とし、これらの左右の後身頃部半体を寄せ合わせて中心継目で接続の後身頃部に縫製し、前身頃部に続く後身頃部を有するガードルとすることを特徴とし、ヒップ膨出部下部に緊締による持ち上げ力を付与した補整機能を有するガードルの製造方法である。
【００１２】
請求項５の発明では、ポリウレタン繊維及びナイロン繊維などの化学繊維の弾性の編地からなる上記の請求項１の手段のガードルのさらに異なる他の製造方法である。このガードルの製造方法では、上記の弾性の編地の平面素材をヒップ膨出部の湾曲面状に３〜５ｃｍ突出したヒップ形状を有する加熱した金型によりモールド成型して左右のヒップ膨出部を有する編地素材とし、この左右のヒップ膨出部を有する編地素材から裁断によりガードルの後身頃部の左右の後身頃部半体を形成し、これら左右の後身頃部半体をそのヒップ膨出部のヒップ中心部から下方に進むに連れて徐々に左右方向に円弧状に拡大して下部ヒップ立ち上がり部で５〜７ｃｍ左右に離間した２本の円弧状ラインに画成し、ヒップ膨出部を形成した編地を上記２本の円弧状ラインに沿って部分裁断して後身頃部半体とし、これら左右の後身頃部半体の部分裁断による左右の側端部を寄せ合わせて切り詰め継目として縫製し、ヒップ部のヒップ中心部を３〜５ｃｍ後方に湾曲面状に張り出したヒップ膨出部と下部ヒップ立ち上がり部の大腿部周囲より幅３〜５ｃｍ縮小した縮小大腿部周囲とを有する後身頃部半体とし、これらの左右の後身頃部半体をさらに寄せ合わせて中心継目を有する後身頃部に縫製し、この後身頃部を別途形成の前身頃部と一体化してガードルとすることを特徴とし、ヒップ膨出部下部に緊締による持ち上げ力を付与した補整機能を有するガードルの製造方法である。
【発明の効果】
【００１３】
本発明の補整機能を有するガードルは、曲面形状のヒップ膨出部を後方に３〜５ｃｍ張りだして有することでヒップに無理な拘束力をかけることなく余裕を有しながら、一方でガードルの下部ヒップ立ち上がり部である大腿部周囲を弾性のあるポリウレタン繊維とナイロン繊維からなる編地で大腿部周囲より幅で３〜５ｃｍ短く切り詰めたものとしたので、ヒップの下方への垂れ下がり部の贅肉をこの大腿部の緊締力により上方へ持ち上げる働きを付与するなど、優れた補整機能を奏するガードルであり、さらに本発明の方法はこの優れた補整機能を有するガードルを裁断及び縫製のみならずそれらと加熱によるモールド整形により的確に製造することを可能とするなど優れた効果を奏する。
【発明を実施するための最良の形態】
【００１４】
本発明を実施するための最良の形態を、以下に図面を参照しながら説明する。
先ず第１番目の発明は補整機能を有するガードル１であり、これを図１の（ａ）および（ｂ）に示す。このガードル１はポリウレタン繊維及びナイロン繊維などの化学繊維の糸から編んだ弾性の編地２３から形成した前身頃部２と後身頃部３及び下部の股部５からなっている。このガードル１は、後身頃部３の中心継目１２の左右の各後身頃部半体４ａ、４ｂのヒップ部８に３〜５ｃｍ後方へ湾曲面状で張り出したヒップ膨出部９を有している。
【００１５】
ところで、従来のヒップ部８を有するガードル１は、図６に示すように、前身頃部２に側部で続く後身頃部３の各後身頃部半体４ａ、４ｂにおいて、図面に渦状の点線で仮想的に示すヒップ膨出部９のヒップ中心部１０から下方の部分が左右の円弧状仮想線１３ａに沿ってすそ広がり状に徐々に拡大しながら下方の下部ヒップ立ち上がり部１１ｂに至り、身体の大腿部を通す大きさの大腿部周囲６となっている。
【００１６】
ところで、このガードル１を、図１の（ｃ）に示す、仮想のガードル１とするとき、このガードル１はヒップ中心部１０から円弧状仮想線１３ａに沿って下方に進むに連れて徐々に左右に円弧状に拡大して中間部分の切り詰め幅部１４を有する大腿部周囲６を形成する。さらにこの切り詰め幅部１４を下部ヒップ立ち上がり部１１ｂの大腿部周囲６の後側において、実際の身体の大腿部周囲より切り詰め幅部１４の３〜５ｃｍ幅分だけ切り詰め、その結果、本発明のガードル１は、図１の（ａ）に示すように、切り詰め継目１５を有し、実際の身体の大腿部周囲の幅より３〜５ｃｍ幅だけ狭小に切り詰められた縮小大腿部周囲１６に形成されている。
【００１７】
このように、本発明のガードル１は３〜５ｃｍ幅だけ切り詰められた縮小大腿部周囲１６に形成された後身頃部３を有する。したがって、本発明のガードル１を着用したとき、ヒップ膨出部９の下方の下部ヒップ立ち上がり部１１ｂの大腿部の肌面がガードル１の縮小大腿部周囲１６により緊締されることとなる。そこで、この大腿部の肌面を上方に持ち上げ力が縮小大腿部周囲１６に生じ、この部分の贅肉によるヒップの垂れ下がりを上方に押し上げることとなる。このように本発明のガードル１はヒップ膨出部８の下方のヒップの垂れ下がりを上方に持ち上げる補整機能が極めて高くなっている。
【００１８】
さらに第２番目から第５番目の各発明は、上記の第１番目の実際の身体の大腿部周囲６の幅より３〜５ｃｍ幅だけ切り詰められた縮小大腿部周囲１６を有する補整機能を有するガードル１を製造する方法である。
【００１９】
先ず、第２番目の発明のポリウレタン繊維及びナイロン繊維などの化学繊維の弾性の編地２３からなるガードル１の製造方法は、ガードル１の前身頃部２に続く後身頃部３を製造する一方法である。この方法では、図２の（ａ）に示すように、上記の弾性の編地２３からなるガードル１の後身頃部３を形成する左右の各後身頃部半体４ａ、４ｂを、それぞれのヒップ部８のヒップ中心部１０から上下に進むに連れて円弧状に拡大する２本の円弧状ライン１３、１３で画成する。すなわち、各後身頃部半体４ａ、４ｂの上部を、各ヒップ部８のヒップ中心部１０から上方に進むに連れて徐々に円弧状に拡大し、腰周り部７の上部ヒップ立ち上がり部１１ａで２〜３ｃｍ左右に離間した２本の円弧状ライン１３、１３で画成し、さらに各後身頃部半体４ａ、４ｂの下部を、各ヒップ部８のヒップ中心部１０から下方に進むに連れて徐々に左右方向に円弧状に拡大しながら下部ヒップ立ち上がり部１１ｂで５〜７ｃｍ左右に離間した２本の円弧状ライン１３、１３で画成する。これらの円弧状ライン１３、１３で画成された左側後身頃部半体４ａ及び右側後身頃部半体４ｂを、それぞれの円弧状ライン１３に沿ってそれぞれ分割裁断する。
【００２０】
次いで、この分割裁断した２本の左右の円弧状ライン１３、１３の間の編地２３からなる平面素材２４を切り詰め幅部１４として除去し、残部の左右の平面素材２４の切断端部である円弧状ライン１３からなる切り詰め端部１４ａを有する左右の平面部材１７、１７を得る。これらの左右の平面部材１７、１７の円弧状ライン１３を形成している切り詰め端部１４ａを再び寄せ合わせ、図２の（ｂ）に示すように、切り詰め継目１５として縫製する。この縫製により、ガードル１の後身頃部半体４の上部ヒップ立ち上がり部１１ａである腰周り部７の横幅を２〜３ｃｍ縮小した切り詰め腰部１９と、下部ヒップ立ち上がり部１１ｂの大腿部周囲６より幅３〜５ｃｍ縮小した縮小大腿部周囲１６とを有する左側後身頃部半体４ａ及び右側後身頃部半体４ｂを得る。この後身頃部半体４のヒップ部８の上部の切り詰め腰部１９と下部の縮小大腿部周囲１６の形成により、ヒップ部８のヒップ中心部１０をヒップ膨出部９に形成し、その結果、このヒップ膨出部９が３〜５ｃｍ後方に湾曲面状に張り出される。
【００２１】
次いで、このヒップ膨出部９を有する左側後身頃部半体４ａ及び右側後身頃部半体４ｂをさらに寄せ合わせ、これらの寄せ合わせた側端部１８、１８からなる中心を中心継目１２とする後身頃部３に縫製し、さらに股部５を縫製し、前身頃部２に続く後身頃部３を有するガードル１とする。この方法で製造されたガードル１は、ヒップ膨出部９の下方のヒップの垂れ下がりを緊締により上方に持ち上げる補整機能を有する。
【００２２】
次いで３番目の発明のポリウレタン繊維及びナイロン繊維などの化学繊維の弾性の編地２３からなるガードル１の製造方法は、上記の請求項１の手段のガードル１のさらに他の製造方法ある。このガードル１の製造方法では、上記の弾性の編地２３からなる前身頃部２に側部で続く後身頃部３において、図３の（ａ）に示すように、この後身頃部３を形成する左右の後身頃部半体４ａ、４ｂのそれぞれのヒップ部８のヒップ中心部１０から下方に進むに連れて徐々に左右に円弧状に拡大し、下部ヒップ立ち上がり部１１ｂで５〜７ｃｍ左右に離間した２本の円弧状ライン１３、１３により各後身頃部半体４ａ、４ｂを部分的に画成する。これらの部分的に画成した円弧状ライン１３、１３に沿って編地２３を部分裁断し、切り詰め幅部１４の左右の左右の切り詰め端部１４ａ、１４ａをそれぞれ大腿部周囲６を有する後身頃部半体４の左右の平面部材１７とする。
【００２３】
さらに、図３の（ｂ）に示すように、これら左右の平面部材１７の部分裁断による左右の切り詰め端部１４ａ、１４ａを再び寄せ合わせ、ヒップ部８のヒップ中心部１０を３〜５ｃｍ後方に湾曲面状に張り出したヒップ膨出部９と下部ヒップ立ち上がり部１１ｂの大腿部周囲より幅３〜５ｃｍ縮小した縮小大腿部周囲１６とを有する左側後身頃部半体４ａと右側後身頃部半体４ｂに縫製し切り詰め継目１５とする。さらにこれらの左右の後身頃部半体４ａ、４ｂを寄せ合わせた側端部１８、１８からなる中心継目１２を有する後身頃部３に縫製し、さらに股部５を縫製し、前身頃部２に続く後身頃部３を有するガードル１とする。この方法で製造されたガードル１は、ヒップ膨出部９の下方のヒップの垂れ下がりを緊締により上方に持ち上げる補整機能を有する。
【００２４】
さらに４番目の発明のポリウレタン繊維及びナイロン繊維などの化学繊維の弾性の編地２３からなるガードル１の製造方法は、上記の請求項１の手段のガードル１のさらに上記と異なる製造方法でである。このガードル１の製造方法では、上記の弾性の編地２３の平面素材２４からなる平面状の前身頃部２にその左右の側部で接続する平面状の左側後身頃部半体４ａと右側後半体部４ｂを有するガードル半製品１ａから製造する方法である。従って、このガードル半製品１ａでは、ガードル１の後身頃部３の中心の中心継目１２はまだ縫製されていないものである。
【００２５】
この方法では、先ず、ガードル半製品１ａの平面状の左側後身頃部半体４ａと右側後半体部４ｂのそれぞれのヒップ部８のヒップ中心部１０を、それぞれ個別にヒップ膨出部９の湾曲面状に高さが３〜５ｃｍ膨出したヒップ膨出部形状２１を有する図４に示す加熱した金型２０の上型２０ａと、この上型２０ａのヒップ膨出部形状２１と対称の凹入部形状２２を有する下型２０ｂとの間に、挿入して挟持する。この場合、図５に示すように、下型２０ｂの上にガードル１の前身頃部２の左右の後身頃部半体４ａ、４ｂを左右に展開したガードル半製品１ａの右側後身頃部半体４ｂを下型２０ｂの上に載置し、この上に図４に示す上型４ａを載置して挟持する。この加熱された金型２０に挟持されることで右側後身頃部半体４ｂにヒップ膨出部９がモールド成型される。同様に左側後身頃部半体４ａも上記と左右対称の加熱された金型２０によりヒップ膨出部９がモールド成型される。この場合、モールド成型するための金型２０の加熱温度は１８０〜１９０℃とする。このモールド成型により、それぞれのヒップ部８の編地２３の部分に３〜５ｃｍ突出したヒップ膨出部９が形成される。
【００２６】
次いで、上記で得られた左右の後身頃部半体４の各ヒップ膨出部９を、図３に示す方法と同様に、ヒップ中心部１０から下方に進むに連れて徐々に左右方向に円弧状に拡大しながら下部ヒップ立ち上がり部１１ｂで５〜７ｃｍ左右に離間した２本の円弧状ライン１３、１３で画成し、これらの２本の円弧状ライン１３、１３の間の切り詰め幅部１４を有する左右の後身頃部半体４ａ、４ｂとする。次いで、これらの画成した左右の円弧状ライン１３、１３に沿ってヒップ膨出部９の編地２３を部分裁断する。裁断により生じた切り詰め幅部１４を除去し、残りの左右の後身頃部半体４ａ、４ｂに形成する。これら左右の後身頃部半体４ａ、４ｂに形成の部分裁断による左右の切り詰め端部１４ａ、１４ｂを再び寄せ合わせて縫製し、切り詰め継目１５とする。この縫製により、ヒップ部８のヒップ中心部１０を３〜５ｃｍ後方に張り出したヒップ膨出部９と、下部ヒップ立ち上がり部１１ｂの大腿部周囲６より幅３〜５ｃｍ縮小した縮小大腿部周囲１６とを有する左右の各後身頃部半体４ａ、４ｂが形成される。さらに左側後身頃部半体４ａの側端部１８と右側後半体部４ｂの側端部１８を左右から寄せ合わせて縫製し、中心継目１２で接続した後身頃部３とし、さらに股部５を縫製し、前身頃部２に続く後身頃部３からなるガードル１の完成品が形成される。この方法で製造されたガードル１はヒップ膨出部９の下方のヒップの垂れ下がりを緊締により上方に持ち上げる補整機能を有する。
【００２７】
さらに５番目の発明のポリウレタン繊維及びナイロン繊維などの化学繊維の弾性の編地２３からなるガードル１の製造方法は、上記の請求項１の手段のガードル１のさらに異なる他の製造方法である。このガードル１の製造方法では、上記の弾性の編地２３の平面素材２４から製造する方法である。先ず、平面素材２４を、ヒップ膨出部９の湾曲面状に３〜５ｃｍ突出したヒップ膨出部形状２１を有する、図４に示すと同様の、加熱された金型２０の上型２０ａと下型２０ｂとの間に挟持する。金型２０のの加熱により平面素材２４にヒップ膨出部９の形状をモールド成型する。この場合、左右で対称形状のヒップ膨出部９を有する編地２３形成するために、図４に示す金型２０とさらにこれと対称形状の金型２０の２つの金型を使用する。これらのモールド成型する金型２０の加熱温度は１８０〜１９０℃とする。このモールド成型により、ヒップ膨出部９をそれぞれ有する編地２３からなる左右の後身頃半体用素材２５が形成される。このモールド成型では、左右の２つのヒップ膨出部形状２１、２１を有する上型２０ａと２つの凹入部形状２２、２２を有する下型２０ｂにより、左右の２つのヒップ膨出部９、９を有する一枚の編地２３からなる左右の後身頃半体用素材２５を一度に形成することができ。これらをその後に左右に分割裁断してガードル１の左右の各後身頃部半体用素材２５、２５とすることもできる。
【００２８】
次いで、これら左右の各後身頃部半体用素材２５、２５を左右の後身頃部半体４ａ、４ｂの形状に裁断する。次いで、これらの左右の後身頃部半体４ａ、４ｂのそれぞれのヒップ膨出部９をヒップ中心部１０から下方に進むに連れ徐々に左右方向へ円弧状に拡大し、下部ヒップ立ち上がり部１１ｂで５〜７ｃｍ左右に離間する２本の円弧状ライン１３、１３により画成する。この画成した２本の円弧状ライン１３、１３に沿ってヒップ膨出部９の編地２３を部分裁断する。さらに２本の円弧状ライン１３、１３間の切り詰め幅部１４を除去して後身頃部半体４ａ、４ｂとする。次いで、これら部分裁断により除去した切り詰め幅部１４の左右の切り詰め端部１４ａ、１４ａを寄せ合わせて切り詰め継目１５を有する左右の後身頃部半体４ａ、４ｂに縫製する。この縫製により、ヒップ中心部１０を３〜５ｃｍ後方に湾曲面状に張り出したヒップ膨出部９と、下部ヒップ立ち上がり部１１ｂの大腿部周囲６より幅３〜５ｃｍ縮小した縮小大腿部周囲１６とを有する各左右の後身頃部半体４ａ、４ｂが形成される。
【００２９】
これらの形成した左右の後身頃部半体４ａ、４ｂをさらに寄せ合わせて側端部１８、１８を縫製して、中心継目１２を有する後身頃部３に仕上げる。さらにこの仕上げした後身頃部３を別途形成した前身頃部２と縫製により一体化し、さらに股部５を形成してガードル１とする。この方法で製造されたガードル１は、ヒップ膨出部９の下方のヒップの垂れ下がりを緊締により上方に持ち上げる補整機能を有する。
【００３０】
上記の各発明に使用するポリウレタン繊維及びナイロン繊維などの化学繊維の弾性の編地２３は、いわゆる縦編みのラッセル編みの１種のパワーネットであり、これはポリウレタン弾性繊維とナイロン繊維を交編してなる編地２３からなっているので、ストレッチにより伸びた後のキックバック性に優れており、さらに独特のハリ感を有し、織地からなるメッシュ体よりも硬くハリがあり、補整機能に優れている。さらに上記の弾性の編地２３に使用するポリウレタン繊維はそれ自体が天然ゴムに似た弾性糸で通称スパンテックスと呼ばれ、伸度は４５０〜８００％であり、上記のようにナイロン繊維などと混ぜてストレッチ素材のパワーネットとされている。
【００３１】
上記の本発明のガードル１はその補正機能を一層に向上するために弾性の編地２３を局部的に二重に重ねたものとすることができる。この場合、重ねる編地の編み方を異なる編み方からなるパワーネットの編地とすることもできる。さらに、本発明はガードル１の後身頃部３におけるものであるが、ガードル１の前身頃部２の下腹部が前方に張り出さないように抑制するために、その部分にパワーネットを二重に張った従来のガードル１にも、その後身頃部として本願の方法による後身頃部３の構造を適用することができる。
【図面の簡単な説明】
【００３２】
【図１】本発明のガードルを示し、（ａ）は後身頃部側からの図、（ｂ）は側面側からの図で、（ｃ）は説明用の仮想のガードルを示す図である。
【図２】本発明のガードルの製造方法を説明する図で、（ａ）は本発明のガードルとする前のガードルの図で、（ｂ）は製造後の本発明のガードルを示す図である。
【図３】本発明のガードル他の製造方法を説明する図で、（ａ）は本発明のガードルとする前のガードルの図で、（ｂ）は製造後の本発明のガードルを示す図である。
【図４】本発明のモールド成型によるガードルの成形に使用する金型を示す図である。
【図５】本発明の方法における下型にガードル半成品を載置した状態を示す図である。
【図６】従来のガードルを示す図である。
【符号の説明】
【００３３】
１  ガードル
１ａ  ガードル半製品
２  前身頃部
３  後身頃部
４  後身頃部半体
４ａ  左側後身頃部半体
４ｂ  右側後身頃部半体
５  股部
６  大腿部周囲
７  腰部回り
８  ヒップ部
９  ヒップ膨出部
１０  ヒップ中心部
１１  ヒップ立ち上がり部
１１ａ  上部ヒップ立ち上がり部
１１ｂ  下部ヒップ立ち上がり部
１２  中心継目
１３  円弧状ライン
１３ａ  円弧状仮想線
１４  切り詰め幅部
１４ａ  切り詰め端部
１５  切り詰め継目
１６  縮小大腿部周囲
１７  平面部材
１８  側端部
１９  切り詰め腰部
２０  金型
２０ａ  上型
２０ｂ  下型
２１  ヒップ膨出部形状
２２  凹入部形状
２３  編地
２４  平面素材
２５  後身頃半体用素材
２６  仮想線
【図１】
2006225817.tif 000003
【図２】
2006225817.tif 000004
【図３】
2006225817.tif 000005
【図４】
2006225817.tif 000006
【図５】
2006225817.tif 000007
【図６】
2006225817.tif 000008